(57)【要約】【課題】  本発明が解決しようとする課題は、感圧塗料の温度依存性を補正し、発光量に重畳する他の要因誤差を修正し、補間演算における外挿の影響をなくして、感圧塗料を用いた計測試験における感圧塗料の精度のよいデータ処理手法を提示することにある。【解決手段】    本発明の感圧塗料データ処理手法は、所定位置についての圧力センサデータの値と感圧塗料データの両者に基づく比である補正係数ＣＰＳＰを得て、感圧塗料計測データに掛けることによって種々の要因による感圧塗料計測における系統誤差を補正した上で、前記模型上の温度分布を反映した温度計測データとから前記a-priori較正データを用いて圧力を算出するようにした。【選択図】    図１
2006064600.tif 000002
【特許請求の範囲】
【請求項１】
感圧塗料計測データを用いた圧力測定において、前記感圧塗料計測データと、a-priori較正によって事前に取得された感圧塗料特性データと、模型上の温度分布を反映した温度計測データと、圧力センサによって計測された所定位置の圧力データを基礎データとし、前記所定位置についての前記圧力センサデータと前記感圧塗料データの両者に基づく比である補正係数ＣＰＳＰを得て、前記感圧塗料計測データに掛けることによって種々の要因による感圧塗料計測における系統誤差を補正した上で、前記模型上の温度分布を反映した温度計測データとから前記a-priori較正データを用いて圧力を算出することを特徴とするデータ処理手法。
【請求項２】
補正係数ＣＰＳＰとしては、所定位置についての圧力センサデータと所定位置についての温度データから前記a-priori較正データによる感圧塗料特性データを用いて構築した比較用データ化された圧力センサデータと、前記所定位置の感圧塗料計測データとの比を用いるものである請求項１に記載のデータ処理手法。
【請求項３】
感圧塗料計測データを用いた圧力測定において、前記感圧塗料計測データと、a-priori較正によって試験前に事前に取得された感圧塗料特性データ及び感温塗料特性データと、模型上に塗布した感温塗料による計測データと、圧力センサによって計測された所定位置の圧力データを基礎データとし、前記所定位置に対応する感圧塗料計測データと感温塗料計測データと前記感圧塗料特性データ及び感温塗料特性データとから比較用温度データＴＴＳＰを得て、該比較用温度データと前記圧力センサ計測データから前記a-priori較正による感圧塗料特性データを用いて構築される比較用データ化された圧力センサデータと前記所定位置の感圧塗料計測データとの比から感圧塗料計測データのin-situ補正係数ＣＰＳＰを得て、これを前記感圧塗料計測データに掛けることによって種々の要因による感圧塗料計測における系統誤差を補正した上で、前記模型上に塗布した感温塗料による計測データとから前記a-priori較正データを用いて圧力と温度を算出することを特徴とするデータ処理手法。
【請求項４】
比較用データ化された圧力センサデータと所定位置の感圧塗料計測データとの比から感圧塗料計測データのin-situ補正係数ＣＰＳＰを得る演算は、一旦得たin-situ補正係数を比較用温度データＴＴＳＰを得る際の所定位置の感圧塗料計測データに掛ける補正をした上で再計算し、得られたin-situ補正係数と前回計算の時の当該値とが閾値以内に収束するまで繰り返し演算を実行するものである請求項３に記載のデータ処理手法。
【請求項５】
感圧塗料計測データのin-situ補正係数ＣＰＳＰを得る演算は所定位置に配置された複数の圧力センサ計測データ毎に行いその算術平均から得るものである請求項３または４に記載のデータ処理手法。
【請求項６】
感圧塗料計測データを用いた圧力測定において、前記感圧塗料計測データと、a-priori較正によって試験前に事前に取得された感圧塗料特性データ及び感温塗料特性データと、模型上に塗布した感温塗料による計測データと、圧力センサによって計測された所定位置の圧力データと、温度センサによって計測された所定位置の温度データを基礎データとし、まず、前記所定位置に対応する感圧塗料計測データと感温塗料計測データと前記感圧塗料特性データ及び感温塗料特性データとから比較用温度データＴＴＳＰを得て、該比較用温度データと前記圧力センサ計測データから前記a-priori較正による感圧塗料特性データを用いて構築される比較用データ化された圧力センサデータと前記所定位置の感圧塗料計測データとの比から感圧塗料計測データのin-situ補正係数ＣＰＳＰを得るステップと、前記所定位置に対応する感圧塗料計測データに該in-situ補正係数ＣＰＳＰをかけて補正したデータと感温塗料計測データと前記感圧塗料特性データ及び感温塗料特性データとから比較用圧力データＰＰＳＰを得て、該比較用圧力データと前記温度センサ計測データから前記a-priori較正による感温塗料特性データを用いて構築される比較用データ化された温度センサデータと前記所定位置の感温塗料計測データとの比から感温塗料計測データのin-situ補正係数ＣＴＳＰを得るステップとを踏み、得られた感圧塗料計測データのin-situ補正係数ＣＰＳＰと感温塗料計測データのin-situ補正係数ＣＴＳＰを前記感圧及び感温塗料計測データに掛けることによって種々の要因による感圧及び感温塗料計測における系統誤差を補正した上で、両補正データから前記a-priori較正データを用いて圧力と温度を算出することを特徴とするデータ処理手法。
【請求項７】
圧力補償した温度センサ計測データと所定位置の感温塗料計測データとの比から感温塗料計測データのin-situ補正係数ＣＴＳＰを得る演算は、一旦得たin-situ補正係数ＣＴＳＰを先の感圧塗料計測データのin-situ補正係数ＣＰＳＰを得る演算における所定位置の感温塗料計測データにかける補正をした上で再計算し、得られたin-situ補正係数ＣＰＳＰと前回計算の時の当該値とが閾値以内に収束するまで繰り返し演算を実行し、収束した際にはその際のin-situ補正係数ＣＴＳＰをin-situ補正係数ＣＴＳＰを演算するにおける所定位置の感温塗料計測データに掛ける補正をした上で再計算し、得られたin-situ補正係数ＣＴＳＰと前回計算の時の当該値とが閾値以内に収束するまで繰り返し演算を実行し、収束した際の最終計算におけるin-situ補正係数ＣＴＳＰとin-situ補正係数ＣＰＳＰとを採用するものである請求項６に記載のデータ処理手法。
【請求項８】
感温塗料計測データのin-situ補正係数ＣＴＳＰを得る演算は所定位置に配置された複数の温度センサ計測データ毎に行いその算術平均から得るものである請求項３または４に記載のデータ処理手法。
【請求項９】
模型上の温度分布を反映した温度分布計測データとしては、感温塗料を用いかつ模型上の一方の半面に感圧塗料を、他方の半面に感温塗料を塗り分け、模型上の流れ場の対称性を仮定し、感圧塗料の温度補正を行うことを特徴とする請求項１乃至８のいずれかに記載のデータ処理手法。
【発明の詳細な説明】
【技術分野】
【０００１】
本発明は、物体表面における圧力分布及び温度分布を画像計測する手法と、その手法を用い、流体環境内で使用される機器一般、例えばロケットや航空機及び自動車等の表面圧力分布を算出する圧力分布画像計測システムに関する。
【背景技術】
【０００２】
従来、感圧塗料（ＰＳＰ）を用いて発光量から圧力を算出するデータ処理手法としては、いくつもの算出手法が発表されているところである。このＰＳＰデータ処理で精度を向上させるために大きな課題となるものは、感圧塗料の発光強度は圧力だけでなく温度によっても変化する性質を持っているため、その温度依存性補正を如何に精度良く行うかということと、感圧塗料励起光源の光量変化や、感圧塗料の光量劣化といった感圧塗料計測データに影響を与える種々の誤差要因に如何に適切に対応するかということである。
例えば、非特許文献１では、a-priori法、in-situ法、K-fit法の３種類のデータ処理手法が記述されている。a-priori法は事前に温度及び圧力をパラメータとして感圧塗料の特性を取得し、何らかの検出手段で温度情報を別途得てこれを用いて感圧塗料データから温度補償を行い圧力を算出する手法である。また、in-situ法は所定位置に配置した圧力センサから同時に取得されたデータとその部分の感圧塗料データの相関を取り、これを較正値として用いて圧力を算出するものである。さらに、K-fit法は、
【数１】
2006064600.tif 000003
のような算出式で表される方法である。ここでＫは、圧力Ｐ・温度Ｔについての設定条件（Ｐref，Ｔref）下における発光強度をＩrefとし、
【数２】
2006064600.tif 000004
で表される。また、(１)における係数、Ｃ'１，Ｃ'２，Ｃ'３は
【数３】
2006064600.tif 000005
として表される本来的に温度に依存しないことを仮定して用いられる感圧塗料特性式の係数である。
非特許文献２、非特許文献３でも基本的にこれらのデータ処理手法と同様なデータ処理手法が提示されている。
しかし、a-priori法については感圧塗料励起光源の光量変化や感圧塗料の光量劣化などへの対処が含まれておらず、これらの誤差要因を補正することができない。in-situ法、K-fit法については、圧力センサデータとの比較によってこれらの誤差要因を補正する効果が導入されているが、in-situ法については原理的には模型上の温度が均温な場合にしか適用できず、経験的には温度と圧力に断熱壁温度で定常となっている等の相関がある場合にも拡張できるが、ある１つの圧力に対し、場所による温度分布が存在するような場では統一的な対処ができない。また、K-fit法については、非特許文献１〜３では模型上の温度が均一との仮定が用いられており、さらに、式(１)の係数Ｃ'１，Ｃ'２，Ｃ'３は式(３)との比較で分かるように、厳密には温度による変化がない感圧塗料に対してのみ適用できるものであり、温度によって大なり小なり圧力感度の変化を伴う現実の感圧塗料に対しては計測結果に誤差を生じることとなる。
【０００３】
非特許文献４では感圧塗料だけでなく、模型上の温度分布を計測するために模型上の別の部位に感温塗料も塗装し、温度分布の同一性を仮定して温度補正する手法が取り入れられている。しかし、データ処理手法としてはa-priori法の拡張であり、感圧塗料計測に伴う温度依存性以外の誤差要因への対応は行うことができない。また非特許文献１では模型上の温度分布を計測する手段としてbinarypaintについても触れられているが、データ処理手法としてはa-priori法に基づくものであり、感圧塗料計測データ処理の上での温度依存性や励起光強度の変化には対応可能であるが、感圧塗料成分の劣化など他の成分の誤差要因への対応は行うことはできない。
【０００４】
非特許文献５では非特許文献４と同様に感圧塗料だけでなく、模型上の温度分布を想定して模型上の半面に感温塗料も塗装し、温度分布まで含めた温度依存性の補正を行っている。また、温度依存性以外の誤差要因への対応としてin-situ法を組み合わせている。すなわち、複数箇所に圧力孔を設けると共に表面に感圧塗料を塗布した模型表面の各区分領域についての温度分布データを感温塗料データより取得するステップと、該温度分布データに基づいて感圧塗料の温度による発光強度変化分を補正し、圧力のみの関数とした感圧塗料の発光強度分布を得るステップと、圧力孔まわりの補正された感圧塗料発光強度と他の圧力計で検出した圧力孔データとを関連付けるin situ法による較正ステップと、該 in situ法による較正特性に基づいて前記圧力のみの関数とした感圧塗料の発光強度分布を圧力分布に変換するステップとからなる。しかし、圧力孔間の領域は内挿法によって補間する手法で、必ずしも線形でない感圧塗料特性を精度良く記述するためには高次のfitting式を採用する必要があり、また相関を取る圧力センサデータとして十分な圧力範囲に分布したデータが使用できない場合には、fitting 式の外挿部分で本来の特性を外れたデータ処理を行う危険性がある。
【非特許文献１】J. H. Bell, E. T. Schairer, L.A. Hand, and R. D. Mehta, "Surface Pressure Measurements Using Luminescent Coatings," Annual Review of Fluid Mechanics, 2001. 33:155-206.のうちのpp.184-187.
【非特許文献２】M. A. Woodmansee and J. C.Dutton, "Treating temperature-sensitivity effects of pressure-sensitive paint", Experiments in Fluids, Vol. 24, pp.163-174, 1998.のうちのpp.170-173.
【非特許文献３】Mebarki, Y and Cooper K. R.,"Aerodynamic Testing of a Generic Automotive Model with Pressure SensitivePaint", The 10th International Symposium on Flow Visualization, F0120, August 26-29, Kyoto, Japan, 2002. のうちの6.2 Choice of in-situ calibration order及び6.3 Summary of data reduction methods
【非特許文献４】Y. Shimbo, K. Asai, H. Kanda, Y.Iijima, M. Komatsu, S. Kita and M. Ishiguro, "Evaluation of Severalcalibration techniques for Pressure-Sensitive Paint in Transonic Testing,"AIAA Paper 98-2502, 1998.
【非特許文献５】M. Kurita, K. Nakakita, K.Mitsuo, and S. Watanabe, "Data Processing of Pressure-Sensitive Paint for Industrial Wind Tunnel Testing," AIAA-2004-2189, 24th AIAA Aerodynamic Measurement Technology and Ground Testing Conference, June 28 - July 1, Portland, Oregon, USA, 2004.
【発明の開示】
【発明が解決しようとする課題】
【０００５】
本発明は、感圧塗料のデータ処理であって、計測対象上に温度分布があり、かつ感圧塗料計測システムとしても光量変化や感圧塗料の光劣化などの誤差成分を含み、また感圧塗料データを修正するための比較用圧力センサデータとしても十分に広い圧力幅にわたってのデータを持たない、といった一般的な感圧塗料を用いた計測試験を対象としたものである。このような計測対象であるときには、上記したようにその温度分布による感圧塗料の温度依存性に基づく誤差の問題、何らかの誤差成分が感圧塗料計測データに重畳していた場合の問題、またこの比較用圧力センサデータが十分に広い圧力幅にわたっていないために起こる外挿の補間演算による精度低下の問題を伴う。
【０００６】
そのような中で、本発明が解決しようとする課題は、感圧塗料の温度依存性を補正し、発光量に重畳する他の要因誤差を修正し、補間演算における外挿の影響をなくして、感圧塗料を用いた計測試験における感圧塗料の精度のよいデータ処理手法を提示することにある。
【課題を解決するための手段】
【０００７】
本発明のA-priori/In-situ Hybrid感圧塗料データ処理手法は、感圧塗料計測データを用いた圧力測定において、前記感圧塗料計測データと、a-priori較正によって事前に取得された感圧塗料特性データと、模型上の温度分布を反映した温度計測データと、圧力センサによって計測された所定位置の圧力データを基礎データとし、前記所定位置についての前記圧力センサデータと前記感圧塗料データの両者に基づく比である補正係数ＣＰＳＰを得て、前記感圧塗料計測データに掛けることによって種々の要因による感圧塗料計測における系統誤差を補正した上で、前記模型上の温度分布を反映した温度計測データとから前記a-priori較正データを用いて圧力を算出するようにした。
【０００８】
また、本発明の他のA-priori/In-situ Hybrid感圧塗料データ処理手法は、感圧塗料計測データを用いた圧力測定において、前記感圧塗料計測データと、a-priori較正によって試験前に事前に取得された感圧塗料特性データ及び感温塗料特性データと、模型上に塗布した感温塗料による計測データと、圧力センサによって計測された所定位置の圧力データを基礎データとし、前記所定位置に対応する感圧塗料計測データと感温塗料計測データと前記感圧塗料特性データ及び感温塗料特性データとから比較用温度データＴＴＳＰを得て、該比較用温度データと前記圧力センサ計測データから前記a-priori較正による感圧塗料特性データを用いて構築される比較用データ化された圧力センサデータと前記所定位置の感圧塗料計測データとの比から感圧塗料計測データのin-situ補正係数ＣＰＳＰを得て、これを前記感圧塗料計測データに掛けることによって種々の要因による感圧塗料計測における系統誤差を補正した上で、前記模型上に塗布した感温塗料による計測データとから前記a-priori較正データを用いて圧力と温度を算出するようにした。
【０００９】
また、本発明の更に異なるA-priori/In-situ Hybrid感圧塗料データ処理手法は、感圧塗料計測データを用いた圧力測定において、前記感圧塗料計測データと、a-priori較正によって試験前に事前に取得された感圧塗料特性データ及び感温塗料特性データと、模型上に塗布した感温塗料による計測データと、圧力センサによって計測された所定位置の圧力データと、温度センサによって計測された所定位置の温度データを基礎データとし、まず、前記所定位置に対応する感圧塗料計測データと感温塗料計測データと前記感圧塗料特性データ及び感温塗料特性データとから比較用温度データＴＴＳＰを得て、該比較用温度データと前記圧力センサ計測データから前記a-priori較正による感圧塗料特性データを用いて構築される比較用データ化された圧力センサデータと前記所定位置の感圧塗料計測データとの比から感圧塗料計測データのin-situ補正係数ＣＰＳＰを得るステップと、前記所定位置に対応する感圧塗料計測データに該in-situ補正係数ＣＰＳＰをかけて補正したデータと感温塗料計測データと前記感圧塗料特性データ及び感温塗料特性データとから比較用圧力データＰＰＳＰを得て、該比較用圧力データと前記温度センサ計測データから前記a-priori較正による感温塗料特性データを用いて構築される比較用データ化された温度センサデータと前記所定位置の感温塗料計測データとの比から感温塗料計測データのin-situ補正係数ＣＴＳＰを得るステップとを踏み、得られた感圧塗料計測データのin-situ補正係数ＣＰＳＰと感温塗料計測データのin-situ補正係数ＣＴＳＰを前記感圧及び感温塗料計測データに掛けることによって種々の要因による感圧及び感温塗料計測における系統誤差を補正した上で、両補正データから前記a-priori較正データを用いて圧力と温度を算出するようにした。
【発明の効果】
【００１０】
本発明のA-priori/In-situ Hybrid感圧塗料データ処理手法は、a-priori較正特性を用いると共に、感圧塗料計測データの他に特定箇所の精度の良い圧力計測データを用いてin-situ的な較正を施すものであるが、従来のように対応データを一致させ、その間のデータについては内挿的な補間法で処理するものではなく、感圧塗料計測データと精度の良い圧力計測データとからin-situ補正係数ＣＰＳＰを得て感圧塗料計測データに掛けることによって補正するものであるから、種々の要因による感圧塗料計測における系統誤差を効果的に補正することが出来ると共に、感圧塗料データの比較用圧力センサデータが十分に広い圧力幅にわたってのデータを持たないといった一般的な感圧塗料計測の状況であっても、広いカバー範囲を持つ感圧塗料のa-priori較正データを用いることで外挿の影響をなくすものである。本発明によって、どのような感圧塗料計測環境下にあっても、計測精度を確保した圧力算出が可能となる。
また、本発明の他のA-priori/In-situ Hybrid感圧塗料データ処理手法は、上記手法であって、温度分布計測データが直接の温度で与えられず、感温塗料データとして得られる場合でも、感温塗料のa-priori較正データを用い、感圧塗料計測データと相互補完的なデータ処理を行うことによって、同様にin-situ補正係数ＣＰＳＰを算出して感圧塗料計測データに基づく圧力計測データを補正して計測精度を確保しつつ圧力を求めることが出来る。
また、本発明の更に異なるA-priori/In-situ Hybrid感圧塗料データ処理手法は、温度について感温塗料計測データの他に特定箇所の精度の良い温度計測データを用いてin-situ補正係数ＣＴＳＰを得てa-priori較正特性から得た値に掛けることによって補正するものであるから、一層正確な温度分布を得ることが出来、ひいてはその情報に基づいて感圧塗料計測データに基づく圧力計測データをより正確に補正して求めることが出来る。
【発明を実施するための最良の形態】
【００１１】
感圧塗料を用いた圧力計測では、１）模型上に温度分布があり、２）励起光源光量の変動、感圧塗料の光劣化などの誤差要因を含む可能性を持つことが一般的であり、十分に定量的な計測ではこれらの対応が必要となる。なお、本発明において用いられる感圧塗料は、ポルフィリン系、遷移金属錯体、多環式芳香族化合物、希土類錯体、フタロシアニン系のいずれかを含むことを想定している。
１）については感圧塗料の発光量は圧力感度だけでなく温度依存性も持つため、本発明では感温塗料や赤外線カメラ、感圧／感温binary paintなどの手法を用いて感圧塗料計測領域内の温度分布を計測し、これによって場所ごとに感圧塗料の温度依存性補正を行う。
２）については、これらの誤差要因は計測結果にオフセット成分として現れるため、本発明では圧力センサに接続された圧力孔計測データなど、感圧塗料計測データと同時に取得された他の精度の高い計測データを併用し、代表点で感圧塗料計測結果とこれらの精度の高い計測データを比較することによって in-situ的な修正を行うことによって誤差要因の補正を行う。
３）しかし、感圧塗料計測での既存 in-situ手法のように純粋に感圧塗料計測結果と精度の高い計測データの比較から相関式を作ることは、一般的な感圧塗料計測での属性である比較用の精度の高い計測データが十分に広い圧力幅にわたってのデータを持たない場合があるといったケースでは、比較用の計測データの圧力幅の外側の外挿部分での特性に誤差を含む可能性があるため、本発明では十分に広い圧力・温度範囲にわたって事前に較正された感圧塗料のa-priori較正データをベースとして用いることによりこのような外挿の影響を避けることとした。
よって、２）３）双方に対応する手法としては、a-priori較正データをベースとして用い、かつ他の精度の高い計測データを併用し、代表点で感圧塗料計測結果とこれらの精度の高い計測データを比較することによってin-situ的な補正係数を導入するものとなる。
本発明の基礎となる手法の概要は模式的に図１に示すようなものであって、感圧塗料計測データとa-priori較正データと感温塗料を用いた測定などで得た温度分布情報とから、まず補正係数Ｃを決定し、この係数を感圧塗料計測画像全体に適用した後に圧力分布情報を得るものである。補正係数Ｃの算出方法としては、感圧塗料計測データから特定点における代表情報を取り出し、他の計測手段によって検出した精度の良い圧力値から得られたデータと比較することによってin-situ的に決定できる。
これらに対応する手段を数式化すると、最も基本的な表式として
【数４】
2006064600.tif 000006
と書くことができる。ここで、Ｐは算出すべき計測対象の圧力、Ｐrefは既知の基準状態での圧力、Ｉは計測された感圧塗料の発光量、Ｉrefは既知の基準状態での感圧塗料の発光量、ＣＰＳＰは代表点で感圧塗料計測結果と他の精度の高い計測データを比較することによってin-situ的に算出された補正係数である。また感圧塗料の発光特性データとしては、図２に例示するようなＰ,Ｔ, Ｉref／Ｉの間のa-priori較正データとして得られる特性面を用いる。
【００１２】
本発明に係るA-priori/In-situ Hybrid感圧塗料データ処理法を適用するために必要な基本的データとしては、
a. 感圧塗料計測データ（Ｉ画像：測定時の画像及びＩref 画像：基準圧力と基準温度下での画像）
b. 他の圧力センサによる精度の高い特定点の圧力計測データ（in-situ較正用）
c. 感圧塗料計測領域内の温度分布データ
d. 感圧塗料のa-priori較正による特性データ
の４種類のデータが必要となる。
Ｉ画像及びＩref 画像の感圧塗料計測データとしては、単一の画像が用いられる場合もあるし、複数枚の画像を積算・平均化し、ノイズ除去を施したものが用いられる場合もある。他の精度の高い圧力計測データとしては、感圧塗料計測システムが含む可能性のある光量変化や感圧塗料の光劣化などの誤差成分を修正するための較正用の圧力データであり、感圧塗料計測データと同一の圧力場を計測したとみなせるものを用いる。このデータとしては測定面上の圧力孔と圧力変換器の組み合わせによる離散的な圧力計測手法などを用いることができる。本発明においてこの圧力計測データは必ずしも感圧塗料計測領域内に含まれる圧力範囲を含む広い圧力幅にわたってのデータである必要はなく、理論的には最低１点の較正用圧力計測データ点があれば良い。しかし、実際にはなるべく多くの較正用圧力計測データ点を用いて最小二乗的に算出した方が計測精度上良くなることは明らかである。
【００１３】
温度分布データとしては感温塗料や赤外線カメラ、感圧／感温binary paintなどによって感圧塗料計測領域内の温度分布が計測されるものの他に、これらの温度計測手法を用いるものであって、感圧塗料計測領域内の温度分布を直接は計測しないが、流れ場や温度場の左右対称性や別個の部位での流れ場や温度場の同一性などを仮定した上で感圧塗料計測領域内の温度分布と等価なデータとして用いられる場合もある。
感圧塗料のa-priori較正による特性データとしては、温度と圧力を独立パラメータとしてマトリックス状に計測点を取り、これらの各点に対応する感圧塗料発光量と、基準状態とする温度・圧力における感圧塗料発光量などから感圧塗料特性を較正したものである。このa-priori較正は試験前に行われる場合や、試験後に行われる場合、または試験と並行して行われる場合などがあり、また較正試験を行わずにa-priori較正データがデータベース化された特性データを用いる場合もある。較正試験片としても、試験模型と同一の特性とみなせるサンプル片を用いるものや、模型自体を用いて較正を行い、特性データを取得するものなどがある。
【００１４】
図３に本発明に係るA-priori/In-situ Hybrid 感圧塗料データ処理手法を用いた感圧塗料データ処理の基本的なフローチャートの一例を、図４に図３中のin-situ補正係数算出ルーチンの詳細の基本的な一例を示す。
図３において、画像からカメラの不均一性を除去するダーク画像減算を実行し無次元化した光量比画像(Ｉref／Ｉ) を得る。図中の in-situ補正係数算出ルーチンに供給されるデータとしては、光量比画像(Ｉref／Ｉ) の形とした感圧塗料計測データから比較用圧力計測データと同じ圧力を取るとみなせる領域だけを切り取り、感圧塗料計測データと比較用圧力計測データを対応付けてセットとして用いる。これらのセットは複数あっても良く、図４ではＮ個のセットがある場合を例として示している。比較用圧力計の圧力孔周りの温度データＴを圧力計測データＰtapと共に取得し、感圧塗料のa-priori較正データから圧力孔部分の発光量比(Ｉref／Ｉ)tapを算出し、圧力孔周りの感圧塗料計測データ(Ｉref／Ｉ)pspとの比を採って、これをその部分から得た補正係数Ｃpsp,jを算出する。このようにして、１つの感圧塗料計測データと比較用圧力計測データのセット毎に in-situ補正係数ＣＰＳＰが算出され、最終的には最小二乗的な代表ＣＰＳＰとしてＮ点の平均値が用いられる。ただし、これらＮ点のデータには誤差要因の影響によって論理的でない点が含まれている可能性があるため、平均値算出よりも前の段階でデータの選別が行われる場合もある。
【００１５】
また直接の温度分布データではなく、代わりに感温塗料計測データを用いる場合には、感温塗料には若干の圧力依存性が存在するため、感温塗料のみからでは精度良く温度分布を算出することができず、先に示した式(４)の拡張としての式
【数５】
2006064600.tif 000007
を用いることにより、感圧塗料計測データと感温塗料計測データを用い圧力と温度を同時に算出するデータ処理を行うことが出来る。感温塗料は必ずしも単体で温度分布を算出できず、後述するように感圧塗料データと感温塗料データの２つの入力に対し、圧力と温度の２出力の計算を収束するまで繰り返すデータ処理を経た上で温度分布データが得られるものであるが、A-priori/In-situ Hybrid感圧塗料データ処理手法での温度分布データとしてはこのように他のデータとの併用データ処理によって得られる陰的な温度分布データも含むものである。
【００１６】
図５に感温塗料の圧力依存性を考慮し、かつ感圧塗料計測データに比較用圧力センサデータを併用することによって感圧塗料計測データのin-situ補正係数を導入する、本発明に係るA-priori/In-situ Hybrid 感圧塗料データ処理手法を用いた感圧塗料データ処理の概要を模式的に示し、図６にそのフローチャートの一例を示す。ここでは例として機体模型の左半分にＰＳＰを塗布し右半分にＴＳＰを塗布してＩref像とＩ像とを得ている。ここで左右の機体は対象であるから、その温度分布も軸を中心に左右対称であるとの前提で対応させる。また機体表面の特定Ｎカ所には圧力孔が設けられ、圧力センサーが設置されている。圧力孔の圧力データＰtapと圧力孔に対応する部分の感圧塗料及び感温塗料の計測データから感圧塗料及び感温塗料のa-priori較正データを用いて、in-situ補正係数ＣＰＳＰを算出する。図７は図６中のin-situ補正係算出ルーチン部分を例示的に説明する図である。この場合、図７から分かるように、図２、３のように別途温度分布が固定値として得られているケースと異なり、比較用圧力センサデータと対応する比較用温度データがなく、感圧塗料計測データと感温塗料による計測データからこの比較用温度データに相当する温度データを算出しなければならない。これが図７中のＴＴＳＰである。このＴＴＳＰは入力データである［Ｉref／ＣＰＳＰ・Ｉ］ＰＳＰが更新されるごとに値が変化するため、ＣＰＳＰの値も変化し、前のステップとの差分が収束するまでイタレーションを繰り返す必要がある。すなわち、得られたＴＴＳＰとＰtapに基づき感圧塗料のa-priori較正データから圧力孔部分の発光量比(Ｉref／Ｉ)tapを割り出し、その部分の感圧塗料計測データ(Ｉref／Ｉ)ＰＳＰとの比を採ってＣＰＳＰ,jを算出する。これを当初の圧力孔周りの感圧塗料計測データの［Ｉref／ＣＰＳＰ・Ｉ］ＰＳＰの新たなＣＰＳＰ,jとして採用し再計算する。得られたＣＰＳＰ,jと前回値Ｃ'ＰＳＰ,jとの差が閾値δ以内となるまで繰り返し演算を行う。ＣＰＳＰ,j値が収束したときその値をｊ点についてのデータから算出したin-situ補正係数ＣＰＳＰ,jとする。この計算をＮ個の圧力孔のデータについて行いその算術平均を取ってin-situ補正係数ＣＰＳＰ とする。図６に戻り、得られたin-situ補正係数ＣＰＳＰを感圧塗料計測データ(Ｉref／Ｉ)に適用して補正を行い、既知の感圧塗料のa-priori較正データ及び感温塗料のa-priori較正データから圧力値と温度を割り出すことになる。ここでは式(５)を用い、各区分領域について補正された感圧塗料データと、感温塗料計測データを入力とし、出力として圧力と温度を得る処理が行われるが、前述したように両値が収束するまで繰り返し計算を行う必要はある。以上が感温塗料の圧力依存度を考慮した本発明に係るA-priori/In-situHybrid 感圧塗料データ処理手法である。
【００１７】
式(４)をさらに拡張し、以下の
【数６】
2006064600.tif 000008
式(６)が用いられることもある。この式(６)は感圧塗料側と同様に感温塗料計測データにも比較用温度センサデータを併用することによって感温塗料計測データのin-situ補正係数を導入するものである。先の式(５)は式(６)でＣＴＳＰ＝１の場合の例であるとみなすこともできる。比較用温度センサデータとしては、測温抵抗体や熱電対、あるいは赤外線カメラなど感温塗料計測データと同一の温度場を計測したとみなせるものを用いる。比較用圧力計測データと同様に、この比較用温度計測データでも必ずしも感温塗料計測領域内の温度範囲を含む温度幅にわたってのデータである必要はなく、理論的には最低１点の比較用温度計測データ点があれば良い。しかし、実際にはなるべく多くの比較用温度計測データ点を用いて最小二乗的に算出した方が計測精度上良くなることは明らかである。
【００１８】
図８に感温塗料の圧力依存性を考慮し、かつ感圧塗料計測データに比較用圧力センサデータを併用することによって感圧塗料計測データの in-situ補正係数を導入し、感温塗料計測データにも比較用温度センサデータを併用することによって感温塗料計測データのin-situ補正係数も導入する本発明に係るA-priori/In-situHybrid感圧塗料データ処理手法を用いた感圧塗料データ処理の概要を模式的に示し、図９にそのフローチャートの一例を示す。先の図６の態様と異なるのはin-situ補正係数算出に際して必要とする入力情報が圧力孔周りの感圧塗料及び感温塗料の計測データだけでなく温度センサ周りの感圧塗料及び感温塗料の計測データが必要なことと圧力孔の圧力センサデータの他に温度センサデータを要する点である。そして、図１０は図９中のin-situ補正係数算出ルーチン部分を例示的に説明する図であるが、この図１０では比較用温度計測用データとしてＭ個のデータがある場合を例として示している。
【００１９】
この場合、ＣＰＳＰ に関しては図７に示した手法と同じである。まず、このＣＰＳＰ算出ルーチンによって仮のin-situ補正係数ＣＰＳＰ を算出し、ＣＴＳＰ 算出ルーチンを開始する。仮のＣＰＳＰを用いて温度センサ周りのＰＳＰ光量比データ(Ｉref／Ｉ)ＰＳＰ を補正計算する。これと温度センサ周りの感温塗料計測データ(Ｉ／Ｉref)ＴＳＰを用い、感圧塗料及び感温塗料のa-priori較正データとから比較用圧力データＰＰＳＰを算出し、この値と温度センサデータＴsensorとを用い、ＴＳＰ特性を用いて比較する(Ｉ／Ｉref)sensorを割り出す。この値と感温塗料データ(Ｉ／Ｉref)ＴＳＰとの比をとって仮のin-situ補正係数ＣＴＳＰを得る。この後、先のin-situ補正係数ＣＰＳＰ 算出ルーチンに戻りこれを用いて圧力孔周りの感温塗料計測データの補正値［ＣＴＳＰ・Ｉ／Ｉref］ＴＳＰを得る。これに基づいてin-situ補正係数ＣＰＳＰの再計算を開始し、収束するまで実行する。収束したときは既に得られている仮のin-situ補正係数ＣＴＳＰ を用いて新たな温度センサ周りのＴＳＰデータを［ＣＴＳＰ・Ｉ／Ｉref］ＴＳＰを得、in-situ補正係数ＣＴＳＰ算出ルーチンを実行する。ここで算出したＣＴＳＰ と先の値Ｃ'ＴＳＰ との差が閾値δを越えるときは再計算が必要となり、その値をin-situ補正係数ＣＰＳＰの算出の再計算ルーチンに入る。その後、更新されたin-situ補正係数ＣＴＳＰ を用いて新たな温度センサ周りのＴＳＰデータ［ＣＴＳＰ・Ｉ／Ｉref］ＴＳＰを得てin-situ補正係数ＣＴＳＰが収束するまで再計算を実行する。収束したところで１つの感温塗料計測データと比較用温度計測データのセット毎にin-situ補正係数ＣＴＳＰが算出されたことになる。Ｍ個あるセットについてそれぞれ算出し、最小二乗的な代表ＣＴＳＰとしてＭ点の平均値が用いられる。このＭ点の感温塗料計測データと比較用温度計測データからのin-situ補正係数ＣＴＳＰ算出の各ルーチン内では、それぞれに感圧塗料側の in-situ補正係数ＣＰＳＰを算出するルーチンを含むため、上記のような２重の繰り返し計算（イタレーション）プロセスから構成されることとなる。また最終的な感圧塗料側のin-situ補正係数ＣＰＳＰとしては、最後のイタレーション回で算出されたＮ点の感圧塗料計測データと比較用圧力計測データのセットに対するin-situ補正係数の平均値としてのＣＰＳＰが用いられる。ただし、感温塗料側の in-situ補正係数ＣＴＳＰについても感圧塗料の場合と同様に、これらＭ点のデータには誤差要因の影響によって論理的でない点が含まれている可能性があるため、平均値算出よりも前の段階でデータの選別が行われる場合もある。
【００２０】
図９に戻り、得られたin-situ補正係数ＣＰＳＰ で感圧塗料計測データの補正［Ｉref／ＣＰＳＰ・Ｉ］を行い、得られたin-situ補正係数ＣＴＳＰで感温塗料計測データの補正［ＣＴＳＰ・Ｉ／Ｉref］を行い、既知の感圧塗料及び感温塗料のa-priori較正データから圧力値と温度を割り出すことになる。ここでは式(６)を用い、各区分領域について補正された感圧塗料計測データと補正された感温塗料計測データを入力とし、出力として圧力と温度を得る処理が行なわれるが、ここでも前述の方法と同様に両値が収束するまで繰り返し計算を実行する。以上が感温塗料の圧力依存度を考慮し、別の温度センサを併用してＴＳＰデータにもin-situ補正係数を用いた本発明に係るA-priori/In-situHybrid 感圧塗料データ処理手法である。
【実施例】
【００２１】
宇宙航空研究開発機構風洞技術開発センターの２ｍ×２ｍ遷音速風洞の標準模型であるONERAM5模型を用いて行われた感圧塗料試験を実施例として示す。図１１に左舷にＴＳＰ、右舷にＰＳＰが塗装されたONERA M5模型を示す。この実施例での感圧塗料計測領域内の温度分布データとしては、流れ場と温度場の左右対称性を仮定し、感圧塗料と感圧塗料を併用することにより、感圧塗料データと感温塗料データの２つの入力に対し、圧力と温度の２出力を返すデータ処理を経た上で温度分布データが得られるものを用いている。感圧塗料の誤差要因を補正するための他の精度の高い圧力計測データとしては、模型表面に離散的に設けられた圧力孔から取得される圧力情報をチューブを介して圧力変換機まで伝送する圧力孔計測法を用いている。また感温塗料計測データの比較用温度センサデータとなりうる測温抵抗体も模型内部に設置され、温度データも計測されているが、ここでのデータ処理では感温塗料計測データへのin-situ補正係数の導入は行っていない。
【００２２】
図１２に感圧・感温塗料計測データを用い、感温塗料の圧力依存性を考慮し、かつ感圧塗料計測データに比較用圧力センサデータを併用することによって感圧塗料計測データの In-situ補正係数を導入するA-priori/In-situ Hybrid感圧塗料データ処理手法を用いた圧力分布の結果を圧力係数Ｃpで表示したものの例を示す。この圧力係数は［（物体表面圧力−気流静圧）／気流動圧］で表されるものである。模型上面と模型下面は別個の試験によって得られたデータを処理し、並べたものである。これらの結果より、感圧・感温塗料を用いることによって模型上の複雑な流れ場の詳細な圧力分布を定量的に計測できていることが分かる。また図１３にはデータ処理によって圧力と同時に算出される温度分布の結果を示す。これについても模型上面と模型下面は別個の試験によって得られたデータを処理し、並べたものである。これらの試験は生産性を優先するために、模型上の温度分布が小さくなるまでの時間を十分に取らなかった実用性重視の試験ではあったが、これらの温度分布計測結果より、in-situ法やK-fit法が前提としている模型上の温度の均一性は成り立っていないことが良く分かる。このような温度分布を持った感圧塗料試験データの処理では均一温度を仮定すると大きな誤差要因となり、温度分布まで考慮した温度補正が必要であることが良く分かる。
【００２３】
図１４は主翼上の圧力孔列でのa-priori法及び本発明に係るA-priori/In-situ Hybrid 感圧塗料データ処理法と圧力孔計測法との比較である。上面の感圧塗料計測データ処理結果はa-priori法とA-priori/In-situ Hybrid感圧塗料データ処理法でほとんど差がないが、下面側データでは、a-priori法では圧力孔計測データと何らかの誤差要因によって大きな差があるのに対し、A-priori/In-situ Hybrid感圧塗料データ処理法ではin-situ補正係数を導入したことによって圧力孔計測データとる全体的に良く一致するようになっていることがわかる。この効果は図１５の圧力孔計測データとa-priori法及びA-priori/In-situHybrid感圧塗料データ処理法のデータの差分の評価のうち、何らかの誤差要因が混入したと考えられる下面側の結果で、A-priori/In-situ Hybrid感圧塗料データ処理法の補正効果によって圧力孔計測データとの一致が良くなっていることからも分かる。逆に、a-priori法の結果でも圧力孔計測データとの一致が良好である上面側のデータでは、A-priori/In-situ Hybrid感圧塗料データ処理法の補正効果を小さくし、このような場合でも圧力孔計測データとの一致を良好に保ったままの結果を算出することができている。
【産業上の利用可能性】
【００２４】
感圧塗料を用いて圧力分布を計測する技術自体は産業を限らず広く活用することができるものである。本発明は、この感圧塗料技術によって計測されたデータから精度良く圧力を算出する技術であり、実施例として航空機模型を用いた風洞試験を例にとり説明しているが、これに限らず感圧塗料が適用できる広い範囲にわたっての用途における感圧塗料データ処理手法として適用できるものである。
【図面の簡単な説明】
【００２５】
【図１】本発明の基本的なA-priori/In-situ Hybrid感圧塗料データ処理手法の概念図である。
【図２】本発明で用いる感圧塗料の特性面の例を示す図である。
【図３】本発明の基本的なA-priori/In-situ Hybrid感圧塗料データ処理手法のフローチャート例である。
【図４】本発明の基本的なA-priori/In-situ Hybrid感圧塗料データ処理手法のin-situ補正係数算出ルーチンのフローを示す図である。
【図５】感温塗料の圧力依存性を考慮した本発明のA-priori/In-situ Hybrid感圧塗料データ処理手法の概念図である。
【図６】感温塗料の圧力依存性を考慮した本発明のA-priori/In-situ Hybrid感圧塗料データ処理手法のフローチャート例である。
【図７】前図におけるin-situ補正係数算出ルーチンのフローを示す図である。
【図８】感温塗料の圧力依存性を考慮し、感温塗料計測データにもIn-situ補正係数を導入した本発明のA-priori/In-situHybrid感圧塗料データ処理手法の概念図である。
【図９】感温塗料の圧力依存性を考慮し、感温塗料計測データにもIn-situ補正係数を導入した本発明のA-priori/In-situHybrid感圧塗料データ処理手法のフローチャート例である。
【図１０】前図のin-situ補正係数算出ルーチンのフローを示す図である。
【図１１】実施例の実験で用いたＰＳＰ及びＴＳＰが塗装されたONERA M5模型の写真である。
【図１２】実施例の実験で得たONERA M5模型を用いた感圧塗料試験のデータ処理による圧力分布画像の例である。（上面と下面は別個に計測されたもの）
【図１３】実施例の実験で得たONERA M5模型を用いた感圧塗料試験のデータ処理による温度分布画像の例である。（上面と下面は別個に計測されたもの）
【図１４】実施例の実験で得たONERA M5模型を用いた感圧塗料試験の感圧塗料データと圧力孔計測結果の比較例を示すグラフである。（上面と下面は別個に計測されたもの）
【図１５】実施例の実験で得たONERA M5模型を用いた感圧塗料試験データのA-priori法による結果とA-priori/In-situHybrid法による結果の比較例示すグラフである。
【符号の説明】
【００２６】
ＰＳＰ  感圧塗料（Pressure-Sensitive Paint）
ＴＳＰ  感温塗料（Temperature-Sensitive Paint）
ＣＰＳＰ  感圧塗料計測データのin-situ補正係数
ＣＴＳＰ  感温塗料計測データのin-situ補正係数
Ｉ  感圧/感温塗料の試験データまたは試験画像
Ｉref  感圧/感温塗料の既知圧力・既知温度下の基準データまたは基準画像
ＴＴＳＰ  比較用温度データ
ＰＰＳＰ  比較用圧力データ
【図１】
2006064600.tif 000009
【図３】
2006064600.tif 000010
【図４】
2006064600.tif 000011
【図５】
2006064600.tif 000012
【図６】
2006064600.tif 000013
【図７】
2006064600.tif 000014
【図８】
2006064600.tif 000015
【図９】
2006064600.tif 000016
【図１０】
2006064600.tif 000017
【図１４】
2006064600.tif 000018
【図１５】
2006064600.tif 000019
【図２】
2006064600.tif 000020
【図１１】
2006064600.tif 000021
【図１２】
2006064600.tif 000022
【図１３】
2006064600.tif 000023